(57)【要約】  本発明は、干渉調整処理方法及び装置を開示し、該方法は、マクロセルが、そのカバーしているマイクロセルからの被干渉端末の数及びオールモーストブランクサブフレームＡＢＳの使用率を受信することと、マクロセルが、ＧＢＲ  ＰＲＢの使用率とＧＢＲ  ＤＬ  ＰＲＢの使用率とを含む該マクロセルの負荷情報、マイクロセルにおける被干渉端末の数及びオールモーストブランクサブフレームＡＢＳの使用率に基づいて、ＡＢＳパターン周期内のＡＢＳの数と前記ＡＢＳパターン周期内の全ての下りサブフレームの数の比であるＡＢＳ比率を調整することと、を含む。本発明により、従来技術において、マイクロセルからマクロセルに報告されたＡＢＳサブフレームの使用率が、実際のＡＢＳの使用率を忠実に反映できない問題を解決し、そのうえ、マクロセルがそのカバーしているマイクロセルに正確なＡＢＳ比率を提供する効果を達成している。
2017532891.tif 000002
【特許請求の範囲】
【請求項１】
マクロセルが、そのカバーしているマイクロセルからの被干渉端末の数及びオールモーストブランクサブフレームＡＢＳの使用率を受信することと、
前記マクロセルが、前記マクロセルの負荷情報、前記マイクロセルにおける前記被干渉端末の数及び前記オールモーストブランクサブフレームＡＢＳの使用率に基づいて、ＡＢＳ比率を調整することと、を含み、
前記負荷情報は、保証ビットレートＧＢＲ物理リソースブロックＰＲＢの使用率と、ＧＢＲ下りリンクＤＬ  ＰＲＢの使用率とを含み、
前記ＡＢＳ比率は、ＡＢＳパターン周期内のＡＢＳの数と前記ＡＢＳパターン周期内の全ての下りサブフレームの数の比である、
干渉調整処理方法。
【請求項２】
前記マクロセルが、前記マクロセルの負荷情報、前記被干渉端末の数及び前記オールモーストブランクサブフレームＡＢＳの使用率に基づいて前記ＡＢＳ比率を調整する前に、
前記マクロセルが、前記マイクロセルから送信された呼び出し指示要求を受信することと、
前記マクロセルが、前記呼び出し指示要求を受信したことが初めてか否かを判定することと、
Ｙｅｓと判定された場合、前記マクロセルは、予め設定された前記ＡＢＳ比率の初期値を前記マイクロセルに送信することと、
Ｎｏと判定された場合、前記マクロセルは、前記ＡＢＳ比率の最小値を前記マイクロセルに送信することと、を含む
請求項１に記載の方法。
【請求項３】
前記マクロセルが、前記マクロセルの負荷情報、前記被干渉端末の数及び前記オールモーストブランクサブフレームＡＢＳの使用率に基づいて前記ＡＢＳ比率を調整することは、
前記マクロセルのカバーしている全マイクロセルのＡＢＳ  ＰＲＢの使用率及び被干渉端末の数を平均し、前記全マイクロセルの平均したＡＢＳ  ＰＲＢの使用率を得ることと、
前記全マイクロセルの平均したＡＢＳ  ＰＲＢの使用率が第１閾値よりも大きく、且つ前記被干渉端末の数が１よりも大きい場合、前記マクロセルは前記ＡＢＳ比率を増大させ、ＡＢＳの増加が必要となるマイクロセルをＭとすることと、
前記全マイクロセルの平均したＡＢＳ  ＰＲＢの使用率が第２閾値以下である場合、前記Ｍが０であるか否かを判定し、Ｙｅｓと判定された場合、前記マクロセルは前記ＡＢＳ比率を０に調整し、Ｎｏと判定され、且つ前記マクロセルのＧＢＲ  ＤＬ  ＰＲＢの使用率が第２閾値以下である場合、前記マクロセルは前記ＡＢＳ比率を増大させ、また、Ｎｏと判定され、且つ前記マクロセルのＧＢＲ  ＤＬ  ＰＲＢの使用率が第２閾値よりも大きく、且つ前記第１閾値よりも小さい場合、前記マクロセルは前記ＡＢＳ比率を増大させることと、
前記マクロセルのＧＢＲ  ＤＬ  ＰＲＢの使用率が前記第１閾値以上であり、且つ前記マクロセルのＧＢＲ  ＤＬ  ＰＲＢの使用率が第３閾値よりも小さい又は前記Ｍが予め設定された閾値よりも大きい場合、前記マクロセルは前記ＡＢＳ比率を増大させることと、を含む
請求項１に記載の方法。
【請求項４】
前記マクロセルが、そのカバーしているマイクロセルからの被干渉端末の数及びオールモーストブランクサブフレームＡＢＳの使用率を受信することは、
前記マクロセルがリソース状態更新メッセージによって前記ＡＢＳの使用率及び前記被干渉端末の数を受信すること、を含む
請求項１に記載の方法。
【請求項５】
前記マクロセルが、前記マクロセルの負荷情報、前記マイクロセルにおける前記被干渉端末の数及び前記オールモーストブランクサブフレームＡＢＳの使用率に基づいて前記ＡＢＳ比率を調整した後、
前記マクロセルは、前記ＡＢＳ比率を示すための前記マクロセルのＡＢＳパターンが携帯されている負荷メッセージを前記マイクロセルに送信すること、を含む
請求項１に記載の方法。
【請求項６】
マクロセルに適用する干渉調整処理装置であって、
前記マクロセルのカバーしているマイクロセルからの被干渉端末の数及びオールモーストブランクサブフレームＡＢＳの使用率を受信するように構成される第１の受信モジュールと、
ＧＢＲ  ＰＲＢの使用率とＧＢＲ  ＤＬ  ＰＲＢの使用率とを含む前記マクロセルの負荷情報、前記マイクロセルにおける前記被干渉端末の数及び前記オールモーストブランクサブフレームＡＢＳの使用率に基づいて、ＡＢＳパターンPattern周期内のＡＢＳの数と前記ABS Pattern周期内の全ての下りサブフレームの数の比であるＡＢＳ比率を調整するように構成される調整モジュールと、
を備える干渉調整処理装置。
【請求項７】
前記マイクロセルから送信された呼び出し指示要求を受信するように構成される第２の受信モジュールと、
前記呼び出し指示要求を受信したことが初めてか否かを判定するように構成される判定モジュールと、
Ｙｅｓと判定された場合、予め設定された前記ＡＢＳ比率の初期値を前記マイクロセルに送信するように構成される第１の送信モジュールと、
Ｎｏと判定された場合、前記ＡＢＳ比率の最小値を前記マイクロセルに送信するように構成される第２の送信モジュールと、をさらに備える
請求項６に記載の装置。
【請求項８】
前記調整モジュールは、
前記マクロセルのカバーしている全マイクロセルのＡＢＳ  ＰＲＢの使用率及び被干渉端末の数を平均し、前記全マイクロセルの平均したＡＢＳ  ＰＲＢの使用率を得、前記全マイクロセルの平均したＡＢＳ  ＰＲＢの使用率が第１閾値よりも大きく、且つ前記被干渉端末の数が１よりも大きい場合、前記マクロセルが前記ＡＢＳ比率を増大させ、ＡＢＳの増加が必要となるマイクロセルをＭとし、
前記全マイクロセルの平均したＡＢＳ  ＰＲＢの使用率が第２閾値以下である場合、前記Ｍが０であるか否かを判定し、Ｙｅｓと判定された場合、前記マクロセルが前記ＡＢＳ比率を０に調整し、Ｎｏと判定され、且つ前記マクロセルのＧＢＲ  ＤＬ  ＰＲＢの使用率が第２閾値以下である場合、前記マクロセルが前記ＡＢＳ比率を増大させ、また、Ｎｏと判定され、且つ前記マクロセルのＧＢＲ  ＤＬ  ＰＲＢの使用率が第２閾値よりも大きく、且つ前記第１閾値よりも小さい場合、前記マクロセルが前記ＡＢＳ比率を増大させ、
前記マクロセルのＧＢＲ  ＤＬ  ＰＲＢの使用率が前記第１閾値以上であり、且つ前記マクロセルのＧＢＲ  ＤＬ  ＰＲＢの使用率が第３閾値よりも小さい又は前記Ｍが予め設定された閾値よりも大きい場合、前記マクロセルが前記ＡＢＳ比率を増大させる、ように構成される
請求項６に記載の装置。
【請求項９】
前記第１の受信モジュールは、
リソース状態更新メッセージによって前記ＡＢＳの使用率及び前記被干渉端末の数を受信するように構成される
請求項６に記載の装置。
【請求項１０】
前記ＡＢＳ比率を示すための前記マクロセルのＡＢＳパターンが携帯されている負荷メッセージを前記マイクロセルに送信するように構成される第３の送信モジュール、をさらに備える
請求項６に記載の装置。
【発明の詳細な説明】
【技術分野】
【０００１】
本発明は通信分野に関し、具体的には、干渉調整処理方法及び装置に関する。
【背景技術】
【０００２】
セル間干渉（Enhanced Inter-Cell Interference Coordination、単にｅＩＣＩＣという）技術は、拡張されたセル間干渉協調技術であり、主にヘテロジニアスネットワークに適用される。従来のマクロセルネットワークは、「室外を重んじ室内を軽んずる」、「ネットワーキングを重んじホットスポットを軽んずる」等の特徴があり、ますます成長しているホットスポットユーザの応用への配慮が足りないため、マクロセルにてピコセル（pico）、フェムトセル（femto）、中継局（relay）等を含む低電力ノードを増加することが必要となり、これらのノードが共同してヘテロジニアスネットワークを構成する。ヘテロジニアスネットワークへは新しい干渉場面が導入され、これらの干渉場面においてどのようにして高品質のサービスをできるだけ提供するかは、事業者及び設備サプライヤに共通の関心事となる。
【０００３】
３ＧＰＰ組織は、ヘテロジニアスネットワーク干渉の対策のために研究が展開され、現在成熟したものとして、時間領域がほぼブランクのサブフレーム（Almost Blank Subframe、以下、単にＡＢＳという）及びマイクロセル（ＨｅＮＢ）電力自律調整技術がある。
【０００４】
ＡＢＳ技術は、Almost Blank Subframeと呼ばれ、ＡＢＳフレームとして設定する際に、制御チャネルもデータも送信せず、ＣＲＳを送信すればよく（特殊状況以外）、他のセルがこのサブフレームにてデータを送信する際に受ける干渉が小さくなることから、ＡＢＳ技術の主旨は、マクロセルがＡＢＳサブフレームを設定し、関連するマイクロセルがこのサブフレームにてデータをスケジューリングすることで、干渉を低減する機能を担うことにある。下の図のように、マクロセル（ＭｅＮＢ）がＨｅＮＢにおける端末（ＵＥ）を干渉し、この場合、ＭｅＮＢにＡＢＳが設定され、ＨｅＮＢは、ＭｅＮＢに干渉されるＵＥを対応するサブフレームに置いてスケジューリングし、これにより、これらＵＥの被干渉の程度を低下させることができる。
【０００５】
長期進化（Long Term Evolution、単にＬＴＥという）マイクロセルは、Ｘ２インタフェースを介して、負荷情報及びほぼブランクのサブフレーム（Almost Blank Subframe、単にＡＢＳという）の使用率をマクロセルに報告し、マクロセルは、該マクロセルの負荷状況に全マイクロセルのＡＢＳサブフレームの使用率及び負荷情報を結合して、マクロセルのＡＢＳサブフレームの比率を動的に調整し、調整したＡＢＳサブフレーム情報をＸ２インタフェースを介してマイクロセルに伝達する。マイクロセルはマクロセルから伝達されたＡＢＳサブフレーム情報を受け取った後、マクロセルのＡＢＳサブフレームを用いて、マクロセルにひどく干渉されるＵＥのスケジューリングを行う。
【０００６】
物理リソースブロック（Physical Resource Block、単にＰＲＢという）リソースの使用率を向上させるために、マイクロセルはＡＢＳサブフレームにてマクロセルにひどく干渉されるＵＥのスケジューリングを行った後、そのＡＢＳサブフレームリソースがまだ残っていれば、マクロセルにひどく干渉されていないＵＥに割り当ててもよい。こうすると、マイクロセルがＸ２インタフェースを介してマイクロセルに報告されたＡＢＳサブフレームの使用率は、実際のＡＢＳの使用率を忠実に反映できなくなり、極端な場合には、マイクロセルにて干渉されるＵＥがなく、ＡＢＳサブフレームのＰＲＢが全て干渉されていないＵＥに占用される。もう１つの場合は、干渉されるＵＥが存在するが、サービスをやっておらず、ＡＢＳサブフレームの使用率が０であることであり、この場合、マクロセルは、干渉されるＵＥに対して使用可能なＡＢＳサブフレームを確保するために、ＡＢＳサブフレームの比率を０に調整すべきではない。
【０００７】
関連技術において、マイクロセルからマクロセルに報告されたＡＢＳサブフレームの使用率が、実際のＡＢＳの使用率を忠実に反映できない問題に対して、未だに有効な対策が提案されていない。
【発明の概要】
【発明が解決しようとする課題】
【０００８】
本発明は、少なくとも、従来技術において、マイクロセルからマクロセルに報告されたＡＢＳサブフレームの使用率が、実際のＡＢＳの使用率を忠実に反映できない問題を解決する干渉調整処理方法及び装置を提供する。
【課題を解決するための手段】
【０００９】
本発明の一実施例は、マクロセルが、そのカバーしているマイクロセルからの被干渉端末の数及びオールモーストブランクサブフレームＡＢＳの使用率を受信することと、前記マクロセルが、ＧＢＲ  ＰＲＢの使用率とＧＢＲ  ＤＬ  ＰＲＢの使用率とを含む前記マクロセルの負荷情報、前記マイクロセルにおける前記被干渉端末の数及び前記オールモーストブランクサブフレームＡＢＳの使用率に基づいて、ＡＢＳパターン（Pattern）周期内のＡＢＳの数と前記ABS Pattern周期内の全ての下りサブフレームの数の比であるＡＢＳ比率を調整することと、を含む干渉調整処理方法が提供される。
【００１０】
前記マクロセルが、前記マクロセルの負荷情報、前記被干渉端末の数及び前記オールモーストブランクサブフレームＡＢＳの使用率に基づいて前記ＡＢＳ比率を調整する前に、前記マクロセルが、前記マイクロセルから送信された呼び出し指示要求を受信することと、前記マクロセルが、前記呼び出し指示要求を受信したことが初めてか否かを判定することと、Ｙｅｓと判定された場合、前記マクロセルは、予め設定された前記ＡＢＳ比率の初期値を前記マイクロセルに送信することと、Ｎｏと判定された場合、前記マクロセルは、前記ＡＢＳ比率の最小値を前記マイクロセルに送信することと、を含むことが好ましい。
【００１１】
前記マクロセルが、前記マクロセルの負荷情報、前記被干渉端末の数及び前記オールモーストブランクサブフレームＡＢＳの使用率に基づいて前記ＡＢＳ比率を調整することは、前記マクロセルのカバーしている全マイクロセルのＡＢＳ  ＰＲＢの使用率及び被干渉端末の数を平均し、前記全マイクロセルの平均したＡＢＳ  ＰＲＢの使用率を得ることと、前記全マイクロセルの平均したＡＢＳ  ＰＲＢの使用率が第１閾値よりも大きく、且つ前記被干渉端末の数が１よりも大きい場合、前記マクロセルは前記ＡＢＳ比率を増大させ、ＡＢＳの増加が必要となるマイクロセルをＭとすることと、前記全マイクロセルの平均したＡＢＳ  ＰＲＢの使用率が第２閾値以下である場合、前記Ｍが０であるか否かを判定し、Ｙｅｓと判定された場合、前記マクロセルは前記ＡＢＳ比率を０に調整し、Ｎｏと判定され、且つ前記マクロセルのＧＢＲ  ＤＬ  ＰＲＢの使用率が第２閾値以下である場合、前記マクロセルは前記ＡＢＳ比率を増大させ、また、Ｎｏと判定され、且つ前記マクロセルのＧＢＲ  ＤＬ  ＰＲＢの使用率が第２閾値よりも大きく、且つ前記第１閾値よりも小さい場合、前記マクロセルは前記ＡＢＳ比率を増大させることと、前記マクロセルのＧＢＲ  ＤＬ  ＰＲＢの使用率が前記第１閾値以上であり、且つ前記マクロセルのＧＢＲ  ＤＬ  ＰＲＢの使用率が第３閾値よりも小さい又は前記Ｍが予め設定された閾値よりも大きい場合、前記マクロセルは前記ＡＢＳ比率を増大させることと、を含むことが好ましい。
【００１２】
前記マクロセルが、そのカバーしているマイクロセルからの被干渉端末の数及びオールモーストブランクサブフレームＡＢＳの使用率を受信することは、前記マクロセルがリソース状態更新メッセージによって前記ＡＢＳの使用率及び前記被干渉端末の数を受信すること、を含むことが好ましい。
【００１３】
前記マクロセルが、前記マクロセルの負荷情報、前記マイクロセルにおける前記被干渉端末の数及び前記オールモーストブランクサブフレームＡＢＳの使用率に基づいて前記ＡＢＳ比率を調整した後、前記マクロセルは、前記ＡＢＳ比率を示すための前記マクロセルのＡＢＳパターンが携帯されている負荷メッセージを前記マイクロセルに送信すること、を含むことが好ましい。
【００１４】
本発明の他の一実施例は、マクロセルに適用する干渉調整処理装置であって、前記マクロセルのカバーしているマイクロセルからの被干渉端末の数及びオールモーストブランクサブフレームＡＢＳの使用率を受信するように構成される第１の受信モジュールと、ＧＢＲ  ＰＲＢの使用率とＧＢＲ  ＤＬ  ＰＲＢの使用率とを含む前記マクロセルの負荷情報、前記マイクロセルにおける前記被干渉端末の数及び前記オールモーストブランクサブフレームＡＢＳの使用率に基づいて、ＡＢＳパターンPattern周期内のＡＢＳの数と前記ABS Pattern周期内の全ての下りサブフレームの数の比であるＡＢＳ比率を調整するように構成される調整モジュールと、を備える干渉調整処理装置がさらに提供される。
【００１５】
前記装置は、前記マイクロセルから送信された呼び出し指示要求を受信するように構成される第２の受信モジュールと、前記呼び出し指示要求を受信したことが初めてか否かを判定する判定モジュールと、Ｙｅｓと判定された場合、予め設定された前記ＡＢＳ比率の初期値を前記マイクロセルに送信するように構成される第１の送信モジュールと、Ｎｏと判定された場合、前記ＡＢＳ比率の最小値を前記マイクロセルに送信するように構成される第２の送信モジュールと、をさらに備えることが好ましい。
【００１６】
前記調整モジュールは、前記マクロセルのカバーしている全マイクロセルのＡＢＳ  ＰＲＢの使用率及び被干渉端末の数を平均し、前記全マイクロセルの平均したＡＢＳ  ＰＲＢの使用率を得、前記全マイクロセルの平均したＡＢＳ  ＰＲＢの使用率が第１閾値よりも大きく、且つ前記被干渉端末の数が１よりも大きい場合、前記マクロセルが前記ＡＢＳ比率を増大させ、ＡＢＳの増加が必要となるマイクロセルをＭとし、そして、前記全マイクロセルの平均したＡＢＳ  ＰＲＢの使用率が第２閾値以下である場合、前記Ｍが０であるか否かを判定し、Ｙｅｓと判定された場合、前記マクロセルが前記ＡＢＳ比率を０に調整し、Ｎｏと判定され、且つ前記マクロセルのＧＢＲ  ＤＬ  ＰＲＢの使用率が第２閾値以下である場合、前記マクロセルが前記ＡＢＳ比率を増大させ、また、Ｎｏと判定され、且つ前記マクロセルのＧＢＲ  ＤＬ  ＰＲＢの使用率が第２閾値よりも大きく、且つ前記第１閾値よりも小さい場合、前記マクロセルが前記ＡＢＳ比率を増大させ、さらに、前記マクロセルのＧＢＲ  ＤＬ  ＰＲＢの使用率が前記第１閾値以上であり、且つ前記マクロセルのＧＢＲ  ＤＬ  ＰＲＢの使用率が第３閾値よりも小さい又は前記Ｍが予め設定された閾値よりも大きい場合、前記マクロセルが前記ＡＢＳ比率を増大させる、ように構成されることが好ましい。
【００１７】
前記第１の受信モジュールは、リソース状態更新メッセージによって前記ＡＢＳの使用率及び前記被干渉端末の数を受信するように構成されることが好ましい。
【００１８】
前記装置は、前記ＡＢＳ比率を示すための前記マクロセルのＡＢＳパターンが携帯されている負荷メッセージを前記マイクロセルに送信するように構成される第３の送信モジュール、をさらに備えることが好ましい。
【発明の効果】
【００１９】
本発明によれば、マクロセルが、そのカバーしているマイクロセルからの被干渉端末の数及びオールモーストブランクサブフレームＡＢＳの使用率を受信し、マクロセルが、ＧＢＲ  ＰＲＢの使用率とＧＢＲ  ＤＬ  ＰＲＢの使用率とを含む該マクロセルの負荷情報、マイクロセルにおける被干渉端末の数及びオールモーストブランクサブフレームＡＢＳの使用率に基づいて、ABS Pattern周期内のＡＢＳの数と前記ABS Pattern周期内の全ての下りサブフレームの数の比であるＡＢＳ比率を調整することにより、従来技術において、マイクロセルからマクロセルに報告されたＡＢＳサブフレームの使用率が、実際のＡＢＳの使用率を忠実に反映できない問題を解決し、そのうえ、マクロセルがそのカバーしているマイクロセルに正確なＡＢＳ比率を提供する効果を達成している。
【図面の簡単な説明】
【００２０】
ここで説明する図面は、本発明をさらに理解させるためのものであり、本願の一部を構成し、また、本発明における模式的実施例及びその説明は本発明を説明するものであり、本発明を不当に限定するものではない。図面において、
【図１】本発明の実施例による干渉調整処理方法のフローチャートである。
【図２】本発明の実施例による干渉調整処理装置の構成ブロック図である。
【図３】本発明の実施例による干渉調整処理装置の第１の構成ブロック図である。
【図４】本発明の実施例による干渉調整処理装置の第２の構成ブロック図である。
【図５】本発明の実施例によるＡＢＳサブフレーム及びＡＢＳ技術を用いたＭｅＮＢとＨｅＮＢを示す図である。
【図６】本発明の実施例によるＬＴＥシステムにおけるヘテロジニアスネットワークのネットワーキングを示す図である。
【図７】本発明の実施例によるマクロセルとマイクロセルがＸ２インタフェースを介してメッセージ交換を行うことのフローチャートである。
【図８】本発明の実施例によるABS Patternを動的に調整するアルゴリズムのフローチャートである。
【発明を実施するための形態】
【００２１】
以下、図面を参照しつつ実施例を結合して本発明を詳しく説明する。なお、衝突しない限り、本願の実施例及び実施例中の構成要件を組み合わせることができる。
【００２２】
本実施例において、干渉調整処理方法が提供され、図１は、本発明の実施例による干渉調整処理方法のフローチャートであり、図１に示すように、そのフローは、以下のステップＳ１０２〜ステップＳ１０４を含む。
【００２３】
ステップＳ１０２：マクロセルが、そのカバーしているマイクロセルからの被干渉端末の数及びオールモーストブランクサブフレームＡＢＳの使用率を受信する。
【００２４】
ステップＳ１０４：マクロセルが、ＧＢＲ  ＰＲＢの使用率とＧＢＲ  ＤＬ  ＰＲＢの使用率とを含む該マクロセルの負荷情報、マイクロセルにおける被干渉端末の数及びオールモーストブランクサブフレームＡＢＳの使用率に基づいて、ABS Pattern周期内のＡＢＳの数とABS Pattern周期内の全ての下りサブフレームの数の比であるＡＢＳ比率を調整する。
【００２５】
上記ステップを通じて、マクロセルがマイクロセルに提供されるＡＢＳ比率を調整する根拠は、該マクロセルの負荷情報、マイクロセルにおける該被干渉端末の数及びオールモーストブランクサブフレームＡＢＳの使用率を含み、従来技術において、マクロセルが、マクロセルの負荷情報、マイクロセルのＡＢＳサブフレームの使用率及び負荷情報を根拠として、マイクロセルに提供されるＡＢＳ比率を調整することに比べ、上記ステップは、マクロセルがＡＢＳ比率を調整する根拠として被干渉端末の数を追加することで、マイクロセルからマクロセルに報告されたＡＢＳサブフレームの使用率が、実際のＡＢＳの使用率を忠実に反映できない問題を解決し、そのうえ、マクロセルがそのカバーしているマイクロセルに正確なＡＢＳ比率を提供する効果を達成している。
【００２６】
上記ステップの実現は、マイクロセルがそのＡＢＳの使用率及び干渉ユーザの数を周期的にマクロセルに提供したことに依存し、マイクロセルがまだ上記情報を周期的にマクロセルに提供していない場合、１つの好適な実施例において、マクロセルが、該マクロセルの負荷情報、被干渉端末の数及びオールモーストブランクサブフレームＡＢＳの使用率に基づいて該ＡＢＳ比率を調整する前に、マクロセルは、マイクロセルから送信された呼び出し指示要求を受信し、そして、マクロセルは、呼び出し指示要求を受信したことが初めてか否かを判定し、Ｙｅｓと判定された場合、マクロセルは、予め設定されたＡＢＳ比率の初期値をマイクロセルに送信し、Ｎｏと判定された場合、マクロセルはこのＡＢＳ比率の最小値をマイクロセルに送信する。これにより、マイクロセルがマクロセルからＡＢＳを取得し、干渉された端末を調整できるように確保する。
【００２７】
上記ステップＳ１０４は、マクロセルが、該マクロセルの負荷情報、被干渉端末の数及びオールモーストブランクサブフレームＡＢＳの使用率に基づいてＡＢＳ比率を調整することに関わっており、なお、マクロセルが上記情報に基づいてＡＢＳ比率を調整する方式は様々であり、１つの好適な実施例において、マクロセルのカバーしている全マイクロセルのＡＢＳ  ＰＲＢの使用率及び被干渉端末の数を平均し、全マイクロセルの平均したＡＢＳ  ＰＲＢの使用率を得る。全マイクロセルの平均したＡＢＳ  ＰＲＢの使用率が第１閾値よりも大きく、且つ被干渉端末の数が１よりも大きい場合、マクロセルはＡＢＳ比率を増大させ、ＡＢＳの増加が必要となるマイクロセルをＭと記する。全マイクロセルの平均したＡＢＳ  ＰＲＢの使用率が第２閾値以下である場合、前記Ｍが０であるか否かを判定し、Ｙｅｓと判定された場合、マクロセルはＡＢＳ比率を０に調整し、Ｎｏと判定され、且つマクロセルのＧＢＲ  ＤＬ  ＰＲＢの使用率が第２閾値以下である場合、マクロセルはＡＢＳ比率を増大させ、また、Ｎｏと判定され、且つマクロセルのＧＢＲ  ＤＬ  ＰＲＢの使用率が第２閾値よりも大きく、且つ第１閾値よりも小さい場合、マクロセルは前記ＡＢＳ比率を増大させる。マクロセルのＧＢＲ  ＤＬ  ＰＲＢの使用率が前記第１閾値以上であり、且つマクロセルのＧＢＲ  ＤＬ  ＰＲＢの使用率が第３閾値よりも小さい、又は前記Ｍが予め設定された閾値よりも大きい場合、マクロセルはＡＢＳ比率を増大させる。
【００２８】
この方式により、マクロセルはＡＢＳ比率を動的且つ正確に調整することができる。
【００２９】
マクロセルが、そのカバーしているマイクロセルからの被干渉端末の数及びオールモーストブランクサブフレームＡＢＳの使用率を受信する方式も様々であり、１つの好適な実施例において、マクロセルが、そのカバーしているマイクロセルからの被干渉端末の数及びオールモーストブランクサブフレームＡＢＳの使用率を受信することは、マクロセルがリソース状態更新メッセージによってＡＢＳの使用率及び被干渉端末の数を受信することを含む。マクロセルが、そのカバーしているマイクロセルからの被干渉端末の数及びオールモーストブランクサブフレームＡＢＳの使用率を受信する方式は、マクロセルとマイクロセルが情報交換を行う実際の様子に応じて、柔軟に選択することができる。１つの好適な実施例において、マクロセルが、該マクロセルの負荷情報、マイクロセルにおける被干渉端末の数及びオールモーストブランクサブフレームＡＢＳの使用率に基づいて前記ＡＢＳ比率を調整した後、マクロセルは、ＡＢＳ比率を示すためのマクロセルのＡＢＳパターンが携帯されている負荷メッセージをマイクロセルに送信する。
【００３０】
本実施例において干渉調整処理装置がさらに提供され、上記実施例及び好適な実施形態を実現するためのものであって、既に説明したものは省略される。以下で使用するように、用語「モジュール」とは、所定の機能を実現可能なソフトウェア及び／又はハードウェアの組合せである。以下の実施例に説明する装置をソフトウェアで実現することが好ましいが、ハードウェア又はソフトウェアとハードウェアとの組合せにより実現することも可能であり、構想されている。
【００３１】
図２は、本発明の実施例による干渉調整処理装置の構成ブロック図であり、該装置はマクロセルに適用するものであり、図２に示すように、該マクロセルのカバーしているマイクロセルからの被干渉端末の数及びオールモーストブランクサブフレームＡＢＳの使用率を受信するように構成される第１の受信モジュール２２と、ＧＢＲ  ＰＲＢの使用率とＧＢＲ  ＤＬ  ＰＲＢの使用率とを含むマクロセルの負荷情報、マイクロセルにおける該被干渉端末の数及びオールモーストブランクサブフレームＡＢＳの使用率に基づいて、ABS Pattern周期内のＡＢＳの数とABS Pattern周期内の全ての下りサブフレームの数の比であるＡＢＳ比率を調整するように構成される調整モジュール２４と、を備える。
【００３２】
図３は、本発明の実施例による干渉調整処理装置の第１の構成ブロック図であり、図３に示すように、該装置は、マイクロセルから送信された呼び出し指示要求を受信するように構成される第２の受信モジュール２６と、呼び出し指示要求を受信したことが初めてか否かを判定する判定モジュール２８と、Ｙｅｓと判定された場合、予め設定されたＡＢＳ比率の初期値をマイクロセルに送信する第１の送信モジュール３０と、Ｎｏと判定された場合、ＡＢＳ比率の最小値をマイクロセルに送信する第２の送信モジュール３２と、をさらに備える。
【００３３】
調整モジュール２４は、マクロセルのカバーしている全マイクロセルのＡＢＳ  ＰＲＢの使用率及び被干渉端末の数を平均し、全マイクロセルの平均したＡＢＳ  ＰＲＢの使用率を得、全マイクロセルの平均したＡＢＳ  ＰＲＢの使用率が第１閾値よりも大きく、且つ被干渉端末の数が１よりも大きい場合、マクロセルが前記ＡＢＳ比率を増大させ、ＡＢＳの増加が必要となるマイクロセルをＭと記し、そして、全マイクロセルの平均したＡＢＳ  ＰＲＢの使用率が第２閾値以下である場合、Ｍが０であるか否かを判定し、Ｙｅｓと判定された場合、マクロセルがＡＢＳ比率を０に調整し、Ｎｏと判定され、且つマクロセルのＧＢＲ  ＤＬ  ＰＲＢの使用率が第２閾値以下である場合、マクロセルがＡＢＳ比率を増大させ、また、Ｎｏと判定され、且つマクロセルのＧＢＲ  ＤＬ  ＰＲＢの使用率が第２閾値よりも大きく、且つ第１閾値よりも小さい場合、マクロセルがＡＢＳ比率を増大させ、さらに、マクロセルのＧＢＲ  ＤＬ  ＰＲＢの使用率が第１閾値以上であり、且つマクロセルのＧＢＲ  ＤＬ  ＰＲＢの使用率が第３閾値よりも小さい、又はＭが予め設定された閾値よりも大きい場合、マクロセルがＡＢＳ比率を増大させるように構成されることが好ましい。
【００３４】
第１の受信モジュール２２は、リソース状態更新メッセージによってＡＢＳの使用率及び被干渉端末の数を受信するように構成されることが好ましい。
【００３５】
図４は、本発明の実施例による干渉調整処理装置の第２の構成ブロック図であり、図４に示すように、該装置は、ＡＢＳ比率を示すためのマクロセルのＡＢＳパターンが携帯されている負荷メッセージをマイクロセルに送信するように構成される第３の送信モジュール３４、をさらに備えることが好ましい。
【００３６】
従来技術に存在する上記課題に対して、以下、好適な実施例を結合して説明するが、この好適な実施例は、上述した好適な実施例及びその好適な実施形態を結合したものである。
【００３７】
この好適な実施例の目的は、ＡＢＳサブフレーム比率の動的な調整方法を提供することにある。
【００３８】
この好適な実施例に提供されるＡＢＳサブフレーム比率の動的な調整方法は、マイクロセルによりＸ２インタフェースを介して被干渉ＵＥの数及びＡＢＳサブフレームの使用率をマクロセルに報告し、マクロセルがマイクロセルの被干渉ＵＥの数及びＡＢＳサブフレームの使用率並びにマクロセルのＰＲＢリソースの使用率等の情報に基づいて、ＡＢＳサブフレームの比率を調整することができることを特徴とする。
【００３９】
この好適な実施例に提供されるＡＢＳサブフレーム比率の動的な調整方法は、以下のステップを含む。
【００４０】
ステップ１：マクロセルは、マイクロセルに対してリソース状態要求メッセージ（RESOURCE STATUS REQUEST）を送信してＡＢＳリソースの使用率及び干渉ユーザ数の情報を要求する。
【００４１】
ステップ２：マイクロセルは、ロード情報（Load Information）を用いて呼び出し指示（Invoke Indication）要求をマクロセルに送信する。
【００４２】
ステップ３：マクロセルは、マクロセルのABS Patternの初期値が携帯されるLoad Informationメッセージをマイクロセルに返信する。
【００４３】
ステップ４：マイクロセルは、リソース状態更新（RESOURCE STATUS UPDATE）メッセージによって、そのＡＢＳの使用率及び干渉ユーザ数の情報をマクロセルに周期的に報告する。
【００４４】
ステップ５：マクロセルは、マイクロセルのＡＢＳ  ＰＲＢの使用率及び干渉ユーザ数の情報並びにマクロセルのＰＲＢの使用率に基づいて、ＡＢＳサブフレームの比率を動的に調整する。
【００４５】
ステップ６：マクロセルは、Load InformationメッセージにマクロセルのABS Patternを携帯させて、ABS Patternを変更するようマイクロセルに通知する。
【００４６】
上記技術案から、この好適な実施例に提供される動的な干渉協調方法及びシステムは、従来の動的なＡＢＳに存在する問題を効果的に解決できることが明らかである。
【００４７】
以下、図面を結合してこの好適な実施例を詳しく説明する。
【００４８】
図５は、本発明の実施例によるＡＢＳサブフレーム及びＡＢＳ技術を用いたＭｅＮＢとＨｅＮＢを示す図であり、図５に示すように、同図において、ＭｅＮＢは、一部のサブフレームをＡＢＳサブフレームとして残して、ＨｅＮＢのＭｅＮＢにひどく干渉されるＵＥに使用させる。
【００４９】
図６は、本発明の実施例によるＬＴＥシステムにおけるヘテロジニアスネットワークのネットワーキングを示す図であり、図６に示すように、同図において、ＭｅＮＢ、ＰｅＮＢ、ＨｅＮＢ及びＰＵＥ、ＨＵＥを備え、ＭｅＮＢがマクロセルであり、ＰｅＮＢがＰＩＣＯセルであり、ＨｅＮＢがｆｅｍｔｏセルであり、ＰｅＮＢとＨｅＮＢはいずれもマイクロセルである。同図におけるＰｅＮＢ、ＨｅＮＢがそれぞれＭｅＮＢのカバレッジにある。以下、同図に示す構造を例として、本発明の具体的な実施形態を説明する。
【００５０】
ＨＵＥ１がＨｅＮＢ１にてアクセスしたとすると、この好適な実施例に提供されるモバイルステーションの位置決め方法は以下のステップを含む。
【００５１】
ステップ１：マクロセルは、マイクロセルに対してリソース状態要求メッセージ（RESOURCE STATUS REQUEST）を送信してＡＢＳ状態（ABS Status）情報（ＡＢＳリソースの使用率及び干渉ユーザの数情報）を要求する。
【００５２】
図７は、本発明の実施例によるマクロセルとマイクロセルがＸ２インタフェースを介してメッセージ交換を行うことのフローチャートであり、図７に示すように、マイクロセルは電流が通じて、マクロセルとＸ２インタフェースを確立した後、マクロセルは、マイクロセルに対してRESOURCE STATUS REQUESTメッセージを送信してABS Status情報（ＡＢＳリソースの使用率及び干渉ユーザ数の情報）を要求し、マイクロセルは、RESOURCE STATUS REQUESTメッセージを受信した後、マクロセルにリソース状態応答メッセージ（RESOURCE STATUS RESPONSE）を返信し、マイクロセルは、それから、ABS Status及びマクロセルに干渉されるＵＥの数の情報をマクロセルに周期的に報告する。
【００５３】
ステップ２：マイクロセルは、ロード情報（Load Information）を用いて呼び出し指示（Invoke Indication）要求をマクロセルに送信する。
【００５４】
マイクロセルはマクロセルとＸ２インタフェースを確立した後、すぐにInvoke Indication要求が携帯されるLoad Informationメッセージをマクロセルに送信する。そして、ＡＢＳ比率（ABS Pattern）は、その後、マクロセルによって全０に調整された後、マイクロセルのマクロセルに干渉されるＵＥの数が０から非０になると、すぐにInvoke Indication要求をマクロセルに送信する。
【００５５】
ステップ３：マクロセルは、マクロセルの上位層により設定されたABS Patternの初期値が携帯されるLoad Informationメッセージをマイクロセルに返信する。
【００５６】
マクロセルは、マイクロセルからのInvoke Indication要求を初めて受信した後、マクロセルの上位層により設定されたABS Patternの初期値が携帯されるLoad Informationメッセージをマイクロセルに返信する。マイクロセルからのInvoke Indication要求を初めて受信する場合でなければ、ABS Patternの最小集合をマイクロセルに返信する。
【００５７】
ステップ４：マイクロセルは、リソース状態更新メッセージ（RESOURCE STATUS UPDATE）によって、そのＡＢＳの使用率及び干渉ユーザ数の情報をマクロセルに周期的に報告する。
【００５８】
マイクロセルは、RESOURCE STATUS UPDATEメッセージによって、そのＡＢＳの使用率及びマクロセルに干渉されるユーザの数の情報をマクロセルに周期的に報告し、マクロセルは、ＡＢＳの使用率及びマクロセルに干渉されるユーザの数の情報を結合してマイクロセルの用いるABS Patternを調整する。ＡＢＳの使用率が０であるものの、マクロセルに干渉されるユーザがあれば、マクロセルはABS Patternを全０に調整することなく、マイクロセルのマクロセルに干渉されるユーザがいつでもＡＢＳサブフレームを利用できるように確保する。一方、マイクロセルの中央ユーザをＡＢＳサブフレームにてスケジューリングすることもできるため、ＡＢＳの使用率が高いものの、マクロセルに干渉されるユーザがなければ、マクロセルはABS Patternを全０に調整することができる。
【００５９】
【表１】
2017532891.tif 000003
2017532891.tif 000004
【００６０】
この好適な実施例は、ABS Status IEにNumber of DL Edge Userフィールド（表１に示すように）を追加することで、マクロセルはNumber of DL Edge User情報を結合してABS Patternを調整することができる。
【００６１】
ステップ５：マクロセルは、マイクロセルのＡＢＳ  ＰＲＢの使用率及び干渉ユーザ数の情報並びにマクロセルのＰＲＢの使用率に基づいて、ＡＢＳサブフレームの比率を動的に調整する。
【００６２】
図８は、本発明の実施例によるABS Patternを動的に調整するアルゴリズムのフローチャートであり、図８に示すように、マクロセルによるＡＢＳ調整の処理プロセスは、以下のステップＳ８０２〜ステップＳ８３０を含む。
【００６３】
ステップＳ８０２：ＡＢＳ調整周期タイマーがタイムアウトになったか？そうであれば、ステップＳ８０６に進み、そうでなければ、ステップＳ８０４に進む。
【００６４】
ステップＳ８０４：マクロセルはマイクロセルから報告したＡＢＳ測定結果を収集する。
【００６５】
ステップＳ８０６：マクロセルは、そのカバーしているマイクロセルから報告した負荷に関する測定結果を収集し統計する。
【００６６】
マクロセルは、そのカバーしているマイクロセルから報告したＸ２インタフェースメッセージResource Status update->ABS Status-> DL ABS status IEを受け取って、全マイクロセルのＡＢＳ  ＰＲＢの使用率及びマクロセルに干渉されるユーザの数を平均する。
【００６７】
マクロセルは、そのカバーしているマイクロセルから報告したＸ２インタフェースメッセージResource Status update-> Radio Resource Statusセルを受け取って、全マイクロセルのDL total PRBを平均する。
【００６８】
ステップＳ８０８：マクロセルのＧＢＲ（ＰＢＲを含む）のＰＲＢの使用率及びＤＬ  ＰＲＢの使用率を統計する。
【００６９】
マクロセルのカバーしているマイクロセルの平均したＡＢＳ  ＰＲＢの使用率＞Ｔｈ１であり、且つ干渉されるユーザの数が１よりも大きければ、マクロセルは、該マイクロセルにＡＢＳサブフレームを増加する必要があると認め、マクロセルは、ＡＢＳサブフレームの増加が必要となるマイクロセルの数を統計し、ｍとする。
【００７０】
ステップＳ８１０：マクロセルのカバーしている全マイクロセルの平均したＡＢＳ  ＰＲＢの使用率＜Ｔｈ２、且つｍ＝０が成り立つか否かを判断し、成り立っていれば、ステップＳ８２４を実行し、この場合、ABS Pattern周期内のＡＢＳサブフレームの割合を０になるまで調整するように１レベル低下させ、ステップＳ８３０に移行し、成り立っていなければ、ステップＳ８１２を実行する。
【００７１】
ステップＳ８１２：マクロセルは、自分の統計情報及びそのカバーしている全マイクロセルの平均統計情報に基づいて、ＡＢＳサブフレームの設定を調整する。
【００７２】
マクロセルのＤＬ  ＰＲＢの使用率≦Ｔｈ２が成り立つか否かを判断し、成り立っていれば、ステップＳ８１４を実行し、成り立っていなければ、ステップＳ８１６を実行する。
【００７３】
ステップＳ８１４：この場合、ABS Pattern周期内のＡＢＳサブフレームの割合が１レベルだけ増大し、且つ最大レベル以下である。
【００７４】
ステップＳ８１６：マクロセルのＤＬ  ＰＲＢの使用率＜Ｔｈ１が成り立つか否かを判断し、成り立っていれば、ステップＳ８１８を実行し、成り立っていなければ、ステップＳ８２２を実行する。
【００７５】
ステップＳ８１８：Ｔｈ１＞マクロセルのＤＬ  ＰＲＢの使用率＞Ｔｈ２の場合、ＡＢＳサブフレームの増加が必要となるマイクロセルの数ｍ＞０であるか否かを判断し、Ｙｅｓであれば、ステップＳ８１４を実行し、Ｎｏであれば、ステップＳ８２０を実行する。
【００７６】
ステップＳ８２０：ＡＢＳサブフレームの比率が変わらないようになる。
【００７７】
ステップＳ８２２：マクロセルのＧＢＲ（ＰＢＲを含む）のＰＲＢの使用率≧Ｔｈ３が成り立つか否かを判断し、成り立っていれば、ステップＳ８２４を実行し、成り立っていなければ、ステップＳ８２６を実行する。
【００７８】
ステップＳ８２４：ＡＢＳサブフレームの割合が１レベルだけ低下し、ｍが０でなければ、最小レベルになるまで調整することしかできず、０に調整することができなく、その後、ステップＳ８３０を実行する。
【００７９】
ステップＳ８２６：マイクロセルの平均したＤＬ  Ｔｏｔａｌ  ＰＲＢの使用率＞Ｔｈ１を満たすか否か、或いはＡＢＳサブフレームの増加が必要となるマイクロセルの数ｍ＞Ｍが成り立つか否かを判断し、成り立っていれば、ステップＳ８２８を実行し、成り立っていなければ、ステップＳ８２０を実行する。
【００８０】
ステップＳ８２８：ABS Pattern周期内のＡＢＳサブフレームの割合が１レベルだけ増大する。
【００８１】
マクロセルは、ＡＢＳサブフレームの割合を１レベルだけ低下させる必要があると判断した場合、保存された最小レベルとなっていれば、ＡＢＳサブフレームの状態に変わりがない。
【００８２】
マクロセルは、ＡＢＳサブフレームの割合を１レベルだけ増大する必要があると判断した場合、保存された最大レベルとなっていれば、ＡＢＳサブフレームの状態に変わりがない。
【００８３】
それ以外の場合に、ＡＢＳサブフレームの状態が変わらないようになる。
【００８４】
ステップＳ８３０：マクロセルはABS Pattern情報を決めた後、これを更新するようマイクロセルに通知する。
【００８５】
ステップ６：マクロセルは、Load InformationメッセージにマクロセルのABS Patternを携帯させて、ABS Patternを変更するようマイクロセルに通知する。
【００８６】
ABS Pattern情報が変わっていれば、Ｘ２インタフェースをトリガーし、Ｘ２インタフェースのLoad Informationメッセージを介して全マイクロセルに通知し、マイクロセルがABS Patternを受け取った後、設定されたABS Patternを更新し、ＡＢＳサブフレームをマクロセルに干渉されるＵＥに優先して割り当てて使用させ、マクロセルに干渉されるＵＥが使い切れない場合、マイクロセルの中央ユーザに割り当てて使用させることができる。
【００８７】
ABS Pattern情報が変わっていなければ、何ら処理もしない。
【００８８】
上述したように、本発明の実施例により、従来技術において、マイクロセルからマクロセルに報告されたＡＢＳサブフレームの使用率が、実際のＡＢＳの使用率を忠実に反映できない問題を解決し、そのうえ、マクロセルがそのカバーしているマイクロセルに正確なＡＢＳ比率を提供する効果を達成している。
【００８９】
当業者にとって、上述の本発明の各モジュール又は各ステップは汎用の計算装置によって実現することができ、単独の計算装置に集成させることができれば、複数の計算装置から構成されるネットワークに分布させることもでき、さらに計算装置で実行可能なプログラムのコードによって実現することもできるので、それらを記憶装置に格納して計算装置によって実行することができ、そして場合によって、示した又は説明したステップを上述と異なる手順で実行することができ、また、それぞれ集積回路手段に製作したり、これらのうち複数のモジュール又はステップを単独の集積回路手段に製作したりして実現することができることは、明らかなことである。このように、本発明は、如何なる特定のハードウェアとソフトウェアの結合に限定されない。
【００９０】
以上は、本発明の好適な実施例に過ぎず、本発明を限定することは意図していない。当業者であれば、本発明に様々な変更や変形が可能である。本発明の思想や原則内の如何なる修正、均等の置き換え、改良なども、本発明の保護範囲内に含まれるべきである。
【産業上の利用可能性】
【００９１】
本発明の実施例に提供される上記技術案に基づいて、マクロセルが、そのカバーしているマイクロセルからの被干渉端末の数及びオールモーストブランクサブフレームＡＢＳの使用率を受信し、マクロセルが、ＧＢＲ  ＰＲＢの使用率とＧＢＲ  ＤＬ  ＰＲＢの使用率とを含む該マクロセルの負荷情報、マイクロセルにおける被干渉端末の数及びオールモーストブランクサブフレームＡＢＳの使用率に基づいて、ABS Pattern周期内のＡＢＳの数と前記ABS Pattern周期内の全ての下りサブフレームの数の比であるＡＢＳ比率を調整することにより、従来技術において、マイクロセルからマクロセルに報告されたＡＢＳサブフレームの使用率が、実際のＡＢＳの使用率を忠実に反映できない問題を解決し、そのうえ、マクロセルがそのカバーしているマイクロセルに正確なＡＢＳ比率を提供する効果を達成している。
【図１】
2017532891.tif 000005
【図２】
2017532891.tif 000006
【図３】
2017532891.tif 000007
【図４】
2017532891.tif 000008
【図５】
2017532891.tif 000009
【図６】
2017532891.tif 000010
【図７】
2017532891.tif 000011
【図８】
2017532891.tif 000012
【国際調査報告】
2017532891.tif 000013
2017532891.tif 000014
2017532891.tif 000015
2017532891.tif 000016